(57)【特許請求の範囲】
【請求項１】
浴水を循環させる循環ポンプと、浴水を加熱する加熱ヒータと、浴水を清浄化する淨化フィルタとを備えた浴水循環装置において、浴水を殺菌するための殺菌ランプと、該殺菌ランプを浴水から保護するための保護管と、前記循環ポンプ側からの浴水の流量を調節するための電磁弁と、前記殺菌ランプ通過後の浴水の流水方向を浴水側または排水側へ切替るための三方弁と、前記保護管を洗浄するための添加剤を添加する添加タンクと、前記殺菌ランプと保護管を設けた殺菌ユニット内部を攪拌させるための回転体及びモータとを備えてなることを特徴とする浴水循環装置においての洗浄機能を備えた浴水殺菌装置。
【請求項２】
浴水を循環させる循環ポンプと、浴水を加熱する加熱ヒータと、浴水を清浄化する淨化フィルタとを備えた浴水循環装置において、浴水を殺菌するための殺菌ランプと、該殺菌ランプを浴水から保護するための保護管と、前記循環ポンプ側からの浴水の流入量を調節するための電磁弁と、前記保護管を洗浄するための添加剤を添加する添加タンクと、前記殺菌ランプ通過後の浴水の流水方向を浴水側または排水側へ切替ると共に、前記保護管洗浄時においては前記殺菌ランプと保護管を設けた殺菌ユニット内の浴水に前記添加タンクから添加剤を添加するため前記殺菌ランプ通過後の浴水の流れ方向を全て遮断する三方弁と、前記殺菌ランプと保護管を設けた殺菌ユニット内部を攪拌させるための気泡を注入するエアポンプとを備えてなることを特徴とする浴水循環装置においての洗浄機能を備えた浴水殺菌装置。
【請求項３】
請求項１又は２において、前記保護管を洗浄するために洗浄開始を命令する手動の洗浄スイッチと、該洗浄スイッチに応答して洗浄時間を計測する洗浄計測手段とを備えてなることを特徴とする浴水循環装置においての洗浄機能を備えた浴水殺菌装置。
【請求項４】
請求項１又は２において、洗浄時間を制御するタイマー手段と、前記電磁弁と三方弁とを制御する弁制御手段とを備え、前記タイマー手段は、前記保護管を洗浄するために洗浄開始時間を設定する設定部と、設定された洗浄開始時間と洗浄時間とを記憶する記憶部とを有してなることを特徴とする浴水循環装置においての洗浄機能を備えた浴水殺菌装置。
【発明の詳細な説明】
【０００１】
【発明が属する技術分野】
本発明は、浴水循環装置に使用される紫外線殺菌ランプを添加剤にて良好に浄化することができる浴水循環装置においての洗浄機能を備えた浴水殺菌装置に関するものである。
【０００２】
【従来の技術】
浴槽内の浴水を循環ポンプで循環させ、浄化、殺菌し、再び清浄化された浴水を浴槽内へ送る装置が種々開発されている。これら装置による浄化は、活性炭、麦飯石等によるろ過槽で処理し、殺菌は、紫外線ランプの内蔵された殺菌槽へ浴水を通過させて行う紫外線殺菌や、オゾン発生装置を用いてオゾンを発生させ、そのオゾンを浴水へ混入させて殺菌するオゾン殺菌を行っていた。従来の浴水循環装置は、上記のように単に浴水の汚れを取り除くだけではなく、殺菌や加熱保温も同時に行い、２４時間快適に入浴できる浴水装置を提供している。
【０００３】
【発明が解決しようとする課題】
紫外線殺菌ランプ（単に、殺菌ランプという）を用いて殺菌を行う場合、殺菌ランプに対する電気的安全ならびに破損を防止するために紫外線を透過するガラスや石英の材質から作られる保護管を備えることが望まれる。しかしながら、浴水などの水処理においては、この保護管が汚れて、紫外線の透過率が徐々に低下するため半年程度に１回定期的に洗浄を行わなければならなかった。前記殺菌ランプは寿命があり、その交換頻度は冷陰極タイプでは、数年に一度、熱陰極タイプでは、１年から２年に一度交換を行っている。
【０００４】
従来の洗浄方法としては、保護管を殺菌ユニットから取外し、洗剤をしみこませた布等で手作業による除去を行わなければならなかった。この一連の作業内容は、(1)浴水循環装置の運転を一旦停止し、(2)浴水循環装置のカバーを取外し、(3)殺菌ユニットが収納されている部分の蓋のねじを取外し、そして(4)殺菌ユニットから保護管と殺菌ランプを取り出し、(5)保護管と殺菌ランプを分離する。そして(6)布等で保護管に付着した汚れを手袋をつけて除去する。その後(7)保護管に殺菌ランプをセットし、(8)殺菌ユニットに保護管と殺菌ランプをセットし、(9)殺菌ユニットを装置にセットし、最後に(10)殺菌ユニットの蓋をしめる。であり、多くの作業があり、半年に一度とはいえ極めて面倒であり、また作業中傍に置いたランプを割ってしまうこともあった。
【０００５】
そこで発明者は、前記課題を解決すべく、鋭意，研究を重ねた結果、その発明を、浴水を循環させる循環ポンプと、浴水を加熱する加熱ヒータと、浴水を清浄化する浄化フィルタとを備えた浴水循環装置において、浴水を殺菌するための殺菌ランプと、該殺菌ランプを浴水から保護するための保護管と、前記循環ポンプ側からの浴水の流量を調節するための電磁弁と、前記殺菌ランプ通過後の浴水の流水方向を浴槽側または排出側へ切替るための三方弁と、前記保護管を洗浄するための添加剤を添加する添加タンクと、前記殺菌ランプと保護管を設けた殺菌ユニット内部を攪拌させるための回転体及びモータとを備えてなる浴水循環装置においての洗浄機能を備えた浴水殺菌装置としたことにより、殺菌ランプを添加剤にて良好に浄化することができ、入浴者の作業を軽減し、安全にかつ快適な環境の入浴を行うための装置を提供し、前記の課題を解決したものである。
【０００６】
【発明の実施の形態】
本発明の実施の形態を図１及び図２に基づいて説明する。浴水環境装置は、浴水を循環させる循環ポンプ３０と、浴水を加熱する加熱ヒータ３１と、浴水を清浄化する浄化フィルタ３２と、浴水を殺菌する紫外線殺菌装置Ａにて基本的に構成されている。該紫外線殺菌装置Ａは、図１のように、上部側に浴水の流入口１ａと下部側に流出口１ｂとを有する殺菌ユニット１と、該殺菌ユニット１の内面に設けられたステンレス等による反射板２と、前記殺菌ユニット１内部に収納される殺菌ランプ３と、該殺菌ランプ３を保護するための保護管４と、前記殺菌ランプ３及び保護管４はそれぞれの上端で、前記殺菌ユニット１の上下に固定した蓋状取付体５とで構成されている。該蓋状取付体５には、前記殺菌ランプ３の点灯を制御する制御回路が備えられている。
【０００７】
前記殺菌ユニット１の底部１ｃには、モータ８の駆動にて、回転する回転体６が設けられている。該回転体６の回転にて殺菌ユニット１内部の浴水が回転する。その回転体６には、磁性を帯た金属材又は磁性体を樹脂材等で被覆したスターラとすることもある。スターラなる回転体６は、不規則な回転を防止するために、盆状の回転範囲規制部１ｄが前記底部１ｃと同一部材又は別部材にて形成することもある。前記殺菌ユニット１の底部１ｃの直下には、前記スターラなる回転体６を回転させる磁石体７がモータ８の軸の上端に設けられ、前記底部１ｃの下面に接するがごとくに配置されている。このように構成により、回転体６と前記磁石体７とが非接触タイプとなり、殺菌ユニット１からの漏水等は確実に防止でき安全性をも考慮できる。
【０００８】
前記モータ８を駆動させることで、磁石体７の磁束の回転によって、殺菌ユニット１内部の回転体６がその磁束の回転に同調して回転し、該回転体６の回転により殺菌ユニット１内部の浴水は回転させられる。また、前記スターラなる回転体６の形状は、棒状のものだけではなく、羽根部を取り付けた構成にすることもあり、実施の形態に制限されない。また、前記回転体６は、図示しないが、モータ８軸に直結したスクリュウ羽根とすることもある。この場合には、モータ８軸箇所を、前記殺菌ユニット１の底部１ｃにシール材にて水密的に設けられている。
【０００９】
前記殺菌ユニット１の流入口１ａには、前記循環ポンプ３０を設けた流入側循環配管９の一端が連結され、該流入側循環配管９の前記流入口１ａ側には、浴水量を制御する電磁弁１０が設けられている。また、その流入側循環配管９の前記流入口１ａ側付近に連結された添加剤配管１１が設けられており、前記殺菌ユニット１内に、酢酸，酸性洗剤，塩素系漂白剤等の添加剤の添加タンク１２に接続され、該添加タンク１２内の添加剤の流出量を第２電磁弁１３にて制御する。前記殺菌ユニット１の流出口１ｂには、流出側循環配管１４が連結され、前記流出口１ｂ側付近には、三方弁１５が設けられ、該三方弁１５には汚水排出管１６端が接続されている。これによって、通常の循環路とし浴槽３３へ浴水を戻すための管路と、殺菌ユニット１内部を洗浄した際に出る汚水を排出するための管路とに浴水の方向を制御する。
【００１０】
前記構成において、保護管４の洗浄を手動操作にて行なう場合には、前記保護管４を洗浄するために洗浄開始を命令する洗浄スイッチ１７と、該洗浄スイッチ１７に応答して洗浄時間を計測する洗浄計測手段１８（簡易タイマー等）とが備えられている。
【００１１】
図３は、本発明の手動操作による保護管４の洗浄フローチャートであり、入浴者が、定期的に保護管４の洗浄を行うタイプのものである。まず、Ｔ１０では、保護管４の洗浄を行うか否かの判断をなし、洗浄を行なうときには、本体に設けられた洗浄スイッチ１７を入力する。Ｓ１０，Ｓ１１，Ｓ１２で装置本体の循環ポンプ３０，加熱ヒータ３１，殺菌ランプ３それぞれの通常運転機能を停止させ、洗浄モードへ移行する。Ｓ１３，Ｓ１４，Ｓ１５では、図２に示すように、電磁弁１０を閉鎖し、浴水の浸入を遮断し、第２電磁弁１３を開放することにより、添加タンク１２内の添加剤を殺菌ユニット１内に注入させ、Ｓ１６で添加剤の注入を停止し、そして、三方弁１５の流れ方向を遮断させる（図２参照且つ、Ｓ１７参照）。Ｓ１８で、モータ８の電源をＯＮとし、モータ８に固定された磁石体７が回転を開始し、Ｓ１９で、該磁石体７の回転にともなって殺菌ユニット１内部に配置された回転体６が回転を始める。該回転体６の回転により殺菌ユニット１内部の浴水は、回転体６の回転方向と同一の方向に回転を始める。これによって、洗剤等の添加剤と浴水とが混合されつつ、その流れ力にて、保護管４及び反射板２が洗浄される（Ｓ２０参照）。前記モータ８の回転時より簡易なタイマー等の洗浄計測手段１８が作動して（Ｓ２１参照）、該洗浄計測手段１８にて洗浄時間を計測する（Ｓ２２参照）。このとき、Ｔ１１で所定の時間が経過したか否かを判断し、経過した場合には、保護管４の洗浄を終了させるか否かを判断し（Ｔ１２参照）、終了させるときには、Ｓ２３で、三方弁１５の流水方向を排出側に切り替える。これにより、殺菌ユニット１内部の液が排出されて水位が除々に低下する。同時に、Ｓ２４にて、第２電磁弁１３を閉鎖して、Ｓ２５にて、電磁弁１０を開放して浴水を流通可能とする。これに伴い、モータ８の電源をＯＦＦとし（Ｓ２６参照）、回転体６の回転を停止させ（Ｓ２７）、このようにして殺菌ユニット１への注水が開始され、タイマー等の洗浄計測手段１８が作動し（Ｓ２８参照）、時間を計測し（Ｓ２９参照）、洗浄に必要な所定時間となっか否かを確認し（Ｔ１３）、所定時間経過したときには、前記三方弁１５の流水方向を浴槽３３側に切り替える（Ｓ３０参照）。そして循環ポンプ３０を駆動させ（Ｓ３１参照）、殺菌ユニット１への注水が開始し（Ｓ３２参照）、この注水が完了したか否かを判断し（Ｔ１４）、完了したとなると、図６の通常の浴水循環装置の運転のフローチャートの▲２▼に戻る。
【００１２】
また、本発明の第２の実施の形態では、図７に示すように、第１の実施の形態で使用された，回転体６と磁石体７とモータ８が使用されないで、その替わり、エアポンプ３４とセラミック等のフィルタ３５が用いられる。他の構成は、第１の実施の形態と同一であるため、説明を省略する。この場合のフローチャートを示すと、図８に示すように、回転体６が回転する順番の位置において、エアポンプ３４をＯＮとし（Ｓ１８′参照）、そのエアを殺菌ユニット１への注入を開始し（Ｓ１９′参照）、そのエアが殺菌ユニット１内に充満状態となって、その多数の泡が不規則に多数発生することで、洗剤等の添加剤と浴水とエアとが混合されつつ、その流れ力にて、保護管４及び反射板２が洗浄される。また、洗浄後は、エアポンプ３４の電源をＯＦＦとし（Ｓ２６′参照）、そのエアの注入を停止する（Ｓ２７′参照）。この外のフローチャートにおけるステップは第１実施の形態と同一であり、説明を省略する。
【００１３】
また、保護管４の洗浄を回転体６を回転させて、自動操作にて行なう場合には、図４に示すように、ブロック図にて制御される。即ち、中央演算処理装置２０（ＣＰＵ）が設けられ、回転体６を回転させるモータ８を駆動させる洗浄時間を制御するタイマー手段２１と、各種弁を制御する弁制御手段２２とが設けられている。前記タイマー手段２１には、前記保護管４を洗浄するために洗浄開始時間を設定する設定部２１ａと、設定された洗浄開始時間と洗浄時間を記憶する記憶部２１ｂと、洗浄開始時間と洗浄時間を適宜変更する変更部２１ｃとを有している。
【００１４】
弁制御手段２２では、前記保護管４を洗浄を開始したときに、電磁弁１０が閉鎖し、第２電磁弁１３が開放し、三方弁１５の何れにも流出は停止されて遮断される。保護管４の洗浄が完了したときに、即ち、洗浄時間が終了したときに、電磁弁１０が開放し、第２電磁弁１３が閉鎖し、三方弁１５が流出側循環配管１４側に切替えられるように制御されている。また、保護管４の洗浄を開始したときに、循環ポンプ３０，加熱ヒータ３１，殺菌ランプ３が停止し、保護管４の洗浄が終了したときに、循環ポンプ３０がそれぞれ動作するように中央演算処理装置２０にて制御されている。
【００１５】
自動の場合のフローチャートについて図５に基づいて説明すると、まず、Ｔ２０では、保護管４の洗浄時間を設定するか否かの判断をなし、時間を設定するときには、その洗浄時間を設定する（Ｓ３０参照）。そして、洗浄時間を変更するか否かの判断をなし（Ｔ２１参照）、変更しないときには、そのままの設定時間等を記憶部２１ｂにて記憶する（Ｓ３１参照）。そして、タイマー手段２１にて洗浄時間を計測する（Ｓ３２参照）。その洗浄開始の設定時間になったか否かを判断し（Ｔ２２参照）、該設定時間となったときには、保護管４の洗浄モードとなる（Ｓ３３参照）。すると、殺菌ランプ３の点灯がＯＦＦとなり（Ｓ３４参照）、同時に循環ポンプ３０が停止し（Ｓ３５参照）、且つ加熱ヒータ３１がＯＦＦとなる（Ｓ３６参照）。さらに、電磁弁１０が閉鎖して（Ｓ３７参照）、殺菌ユニット１への浴水の流入を遮断し、且つ第２電磁弁１３が開放して（Ｓ３８参照）、殺菌ユニット１内へ添加剤を注入させ（Ｓ３９参照）、Ｓ４０で添加剤の注入を停止し（Ｓ４０参照）、そして三方弁１５の流れ方向を全て遮断させる（Ｓ４１参照）。
【００１６】
そして、モータ８が駆動し（Ｓ４２参照）、回転体６の回転を開始する（Ｓ４３参照）。これによって、殺菌ユニット１内の浴水が回転体６の回転方向と同一方向に回転し、前述の添加剤ともとに浴水が回転する。この回転力にて、殺菌ランプ３及び反射板２とを洗浄して保護管の洗浄を開始する（Ｓ４４参照）。この作業が所定時間継続すると、タイマー手段２１の記憶部２１ｂの設定時間が経過後に、終了するか否かを判断し（Ｔ２３参照）、保護管４の洗浄が終了すると、今度は、モータ８の駆動がＯＦＦとなり（Ｓ４５参照）、同時に回転体６の回転が停止する（Ｓ４６参照）。そして、電磁弁１０が開放となり（Ｓ４７参照）、且つ第２電磁弁１３が閉鎖する（Ｓ４８参照）。そして、三方弁１５を排水側に切替える（Ｓ４９参照）、循環ポンプ３０が駆動し（Ｓ５０参照）、殺菌ユニット１内への浴水の注水が開始する（Ｓ５１参照）。所定時間経過後に、三方弁１５を流出側循環配管１４側に切替えられる（Ｓ５２参照）。そして注水が完了したか否かをタイマー手段２１の設定時間にて判断し（Ｔ２４参照）、この注水が完了すると図６の通常の浴水循環装置の運転のフローチャートの▲２▼に戻る。
【００１７】
また、エアポンプ３４とフィルタ３５による気泡発生装置を用いる場合では、モータ８に替えて、エアポンプ３４の駆動を行なうものであり、前記の図５のフローチャートと殆ど同一であり、特に、Ｓ４２でエアポンプをＯＮし、Ｓ４３でエア注入を開始し、Ｓ４５でエアポンプをＯＦＦし、Ｓ４６でエア注入を停止するものであり、他は全く同じであり、その説明を省略する。なお、浴水循環装置を通常運転状態のフローチャートは、図６に示すように、浴水循環装置を駆動するか否かを判断し（Ｔ１参照）、浴水循環装置を駆動する場合には、浴水循環装置の電源をＯＮとし（Ｓ１参照）、循環ポンプ３０を駆動させ（Ｓ２参照）、加熱ヒータ３１をＯＮとし（Ｓ３参照）、さらに殺菌ランプ３を点灯させて（Ｓ４参照）、浴水循環装置を駆動させる。そのとき、保護管４を洗浄させるか否かを判断し（Ｔ２参照）、洗浄させるとすると、▲１▼なる手動又は自動のサブルーチンのフローチャートとなる。洗浄しないと判断すると、そのまま駆動させ、浴水循環装置を停止させるか否かを判断し（Ｔ３参照）、停止する場合には終了し、停止しない場合には、浴水循環装置の電源をＯＮするＳ１の手前に戻る。
【００１８】
また、図９に示すように、フォトカプラ２５を、前記殺菌ユニット１壁外に設けて、該当箇所を探知窓２６としてガラス等の透明素材にて構成することもある。内部に紫外線フィルム２７が貼られている。このような場合には、図９（Ｂ）に示すように、フォトカプラ２５の電源を入れると（Ｓ５１参照）、該フォトカプラ２５によって、前記保護管４の表面箇所の光量を検出し（Ｓ５２参照）、該光量が規定値より低いか否かを判断し（Ｔ３０参照）、即ち、汚れがついていると判断した場合には、洗浄モードとしての，図５のフローチャートにおいて、Ｓ３３に進むように、フローチャートを構成することもある。このようにすることで、汚れがついた場合、設定時間に関係なく自動的に保護管４の洗浄ができる。
【００１９】
【発明の効果】
請求項１の発明では、浴水を循環させる循環ポンプ３０と、浴水を加熱する加熱ヒータ３１と、浴水を清浄化する浄化フィルタ３２とを備えた浴水循環装置において、浴水を殺菌するための殺菌ランプ３と、該殺菌ランプ３を浴水から保護するための保護管４と、前記循環ポンプ３０側からの浴水の流量を調節するための電磁弁１０と、前記殺菌ランプ３通過後の浴水の流水方向を浴槽側または排出側へ切替るための三方弁１５と、前記保護管４を洗浄するための添加剤を添加する添加タンク１２と、前記殺菌ランプ３と保護管４を設けた殺菌ユニット１内部を攪拌させるための回転体６及びモータ８とを備えてなる浴水循環装置においての洗浄機能を備えた浴水殺菌装置としたことにより、第１に保護管４及び殺菌ユニット１の内壁の洗浄がいつでも簡易にでき、第２に保護管４や殺菌ランプ３の損傷防止ができる等の効果がある。
【００２０】
具体的な効果としては、入浴者（作業者、消費者）が定期的に装置を停止させ、殺菌ユニット１を外して洗浄又は清掃作業をするという面倒な工程をなくすことができ、添加剤が殺菌ユニット１内に注入されて、これで、そのモータ８及び回転体６の回転を介して流れ力にて、保護管４及び殺菌ユニット１の内壁の洗浄ができる。即ち、モータ８のスイッチをＯＮすることのみでできる利点がある。このため、従来多く発生していた，作業中の保護管４や殺菌ランプ３の破損事故を確実に防止できる。さらに、本発明では、殺菌ランプ３を取り出して洗浄しないため、殺菌ランプ３と各制御回路とのアダプタの接触不良や取付けミスによる事故の発生を防止できる。また、本発明では、任意の時間にできるため、毎日、毎週等といったことが簡単にできるし、洗浄の周期が短い（毎日又は毎週等）と、汚れも落ち易く、いつも最適の状態での殺菌ランプ３による殺菌を行なうことができる。
【００２１】
次に、請求項２の発明においては、浴水を循環させる循環ポンプ３０と、浴水を加熱する加熱ヒータ３１と、浴水を清浄化する浄化フィルタ３２とを備えた浴水循環装置において、浴水を殺菌するための殺菌ランプ３と、該殺菌ランプ３を浴水から保護するための保護管４と、前記循環ポンプ３０側からの浴水の流量を調節するための電磁弁１０と、前記保護管４を洗浄するための添加剤を添加する添加タンク１２と、前記殺菌ランプ３通過後の浴水の流水方向を浴水側または排水側へ切替ると共に、前記保護管４洗浄時においては前記殺菌ランプ３と保護管４を設けた殺菌ユニット１内の浴水に前記添加タンク１２から添加剤を添加するため前記殺菌ランプ３通過後の浴水の流れ方向を全て遮断する三方弁１５と、前記殺菌ランプ３と保護管４を設けた殺菌ユニット１内部を攪拌させるための気泡を注入するエアポンプ３４とを備えてなることを特徴とする浴水循環装置においての洗浄機能を備えた浴水殺菌装置としたことにより、エアポンプ３４による気泡で、前記添加剤とが渾然とした乱流状態を呈し、これにより、請求項１の発明での回転体６を使用しなくとも、殺菌ユニット１内の保護管４及び殺菌ユニット１の内壁の洗浄を好適にできる。
【００２２】
請求項３の発明では、請求項１又は２において、前記保護管４を洗浄するために洗浄開始を命令する洗浄スイッチ１７と、該洗浄スイッチ１７に応答して洗浄時間を計測する洗浄計測手段１８とを備えてなる浴水循環装置においての洗浄機能を備えた浴水殺菌装置としたことにより、各弁や機器の操作は手動ながらも、洗浄開始させると、所望の時間（洗浄できる時間）を洗浄時間として、良好なる洗浄ができる。
【００２３】
請求項４の発明では、請求項１又は２において、洗浄時間を制御するタイマー手段２１と、前記電磁弁１０と三方弁１５とを制御する弁制御手段２２とを備え、前記タイマー手段２１は、前記保護管４を洗浄するために洗浄開始時間を設定する設定部２１ａと、設定された洗浄開始時間と洗浄時間を記憶する記憶部２１ｂとを有してなる浴水循環装置においての洗浄機能を備えた浴水殺菌装置としたことにより、洗浄しようとする開始時間，洗浄時間等をセットしておくことで、特に、自動的に、保護管４及び殺菌ユニット１の内壁の洗浄を行い、且つこのときの弁制御にて、殺菌ユニット１内での排水等を好適にできる。
【図面の簡単な説明】
【図１】（Ａ）は本発明の第１の実施の形態の一部断面とした側面図
（Ｂ）は浴水の流れを示す状態の一部横断平面図
【図２】本発明の第１の実施の形態の作用を示す浴水循環装置全体の略示図
【図３】手動操作による保護管洗浄のフローチャート
【図４】自動操作による保護管洗浄のブロック図
【図５】自動操作による保護管洗浄のフローチャート
【図６】浴水循環装置を通常運転状態のフローチャート
【図７】（Ａ）は本発明の第２の実施の形態の一部断面とした側面図
（Ｂ）は浴水の流れを示す状態の横断した一部横断平面図
【図８】図７の手動操作による保護管洗浄のフローチャート
【図９】（Ａ）はフォトカプラによる光検出構成の一部断面図
（Ｂ）は（Ａ）の簡単なフローチャート
【符号の説明】
３…殺菌ランプ
４…保護管
６…回転体
８…モータ
１０…電磁弁
１５…三方弁
１７…洗浄スイッチ
１８…洗浄計測手段
２１…タイマー手段
２１ａ…設定部
２１ｂ…記憶部
２２…弁制御手段
３０…循環ポンプ
３１…加熱ヒータ
３２…浄化フィルタ
３４…エアポンプ
【図１】
0003850498.tif 000002
【図２】
0003850498.tif 000003
【図３】
0003850498.tif 000004
【図４】
0003850498.tif 000005
【図５】
0003850498.tif 000006
【図６】
0003850498.tif 000007
【図７】
0003850498.tif 000008
【図８】
0003850498.tif 000009
【図９】
0003850498.tif 000010